(57)【特許請求の範囲】
【請求項１】
車載装置に組み込まれ、表示面に平行な方向に前記車載装置に対して昇降動作し、端縁部にディスクを挿排するための開口部の半分を形成した半開口部を設けた表示パネルと、
前記車載装置に組み込まれ、前記表示パネルに平行な軸を中心に上下方向に回動可能に設けられ、前記ディスクを挿排するための前記開口部の半分を形成した半開口部を設け前記半開口部と前記表示パネルの半開口部とで前記ディスク挿排のための開口部を形成する方向にバネで付勢されるディスクガイドとを備え、
前記車載装置に組み込まれた状態において、前記表示パネルは昇降動作によって少なくとも２つの停止位置に停止し、前記少なくとも２つの停止位置のうちの一方の停止位置に停止した場合に前記表示パネルの半開口部と前記ディスクガイドの半開口部とで形成された前記ディスク挿排のための開口部が視認されて前記表示パネルの表示面の一部が視認されず、前記少なくとも２つの停止位置のうちの他方の停止位置に停止した場合に前記ディスク挿排のための開口部が形成されず視認されず前記表示パネルの表示面の全面が視認されることを特徴とするディスプレイ装置。
【請求項２】
前記ディスクガイドは爪を有し、前記表示パネルは凹部を有し、前記ディスクを挿排するための開口部が形成された状態において、前記爪が前記表示パネルの凹部に係合する位置に配置されたことを特徴とする請求項１に記載のディスプレイ装置。
【請求項３】
前記表示パネル周囲に光源を有し、前記表示パネルの半開口部に向けて前記表示パネルに光誘導板が設けられ、前記光源は、前記少なくとも２つの停止位置のうちの一方の停止位置において前記光源からの光が前記光誘導板によって誘導され、前記誘導された光が前記ディスク挿排のための開口部の位置を指示することを特徴とする請求項１または請求項２に記載のディスプレイ装置。
【発明の詳細な説明】
【０００１】
【発明の属する技術分野】
本発明は、表示パネルが昇降し、ＭＤやＣＤなどの媒体の挿排口が形成されるディスプレイ装置に関する。
【０００２】
【従来の技術】
図１０乃至図１３は、従来の車載用ナビゲーション装置におけるディスプレイ装置の構成概要を示す図である。図１０はディスプレイ本体を開放する前の車載用ナビゲーション装置３００の正面図であり、図１１はディスプレイ本体を開放する前の車載用ナビゲーション装置３００の側面図である。また、図１２はディスプレイ本体を開放した後の車載用ナビゲーション装置３００の正面図であり、図１３はディスプレイ本体を開放した後の車載用ナビゲーション装置３００の側面図である。なお、車載用ナビゲーション装置は、ナビゲーション機能だけでなく、テレビ機能やオーディオ機能などを備えてなるものである。
【０００３】
図１０乃至図１３を使用して簡単に従来のディスプレイ装置の動作を説明する。ＣＤを開口に挿入してＣＤを聴く動作を例にして説明すると、図１０及び図１１の状態において、閉じたディスプレイ５００の周囲に設けられた開閉ボタン５０１（ディスプレイ５００とともに可動する位置にある）を押すと、ディスプレイ５００が電動で（例えばモータによって）上部が下方に下部が前方にスライドして、下辺にＣＤ挿入口５０２が現れる（図１２及び図１３の状態になる）ので、現れたＣＤ挿入口５０２にＣＤを挿入する。ディスプレイ５００よりも内側にあるＣＤローディング機構（図示せず）でＣＤがその内部に搬入されると自動的にＣＤが再生され、音声出力が行われる。次いで、開いたディスプレイ５００の周囲に設けられている開閉ボタン５０１を押すと、ディスプレイ５００が電動で上部が上方に下部が後方にスライドして閉じ、ＣＤ挿入口５０２が隠れる（図１０及び図１１の状態になる）。
【０００４】
【発明が解決しようとする課題】
しかしながら、上記従来のディスプレイ装置においては、ディスプレイがスライドして前（運転者側）に突出することにより、ディスク挿排のための開口が現れるため、従来のディスプレイ装置は、突出するディスプレイが邪魔になる虞れがあり、また、突出量を小さくするためディスプレイ面の上下を短くすると表示できる情報量が少なくなるという問題があった。さらにディスプレイがスライドして前に引き倒されることから、見きり線が見えてしまい全体的に見栄えが悪いという問題があった。
【０００５】
そこで本発明は、表示パネルが装置本体の前方に突出せずディスク挿排を行うことができるディスプレイ装置を提供することを目的とする。
【０００６】
【課題を解決するための手段】
上記課題を解決するために本発明のディスプレイ装置は、車載装置に組み込まれ、表示面に平行な方向に前記車載装置に対して昇降動作し、端縁部にディスクを挿排するための開口部の半分を形成した半開口部を設けた表示パネルと、前記車載装置に組み込まれ、前記表示パネルに平行な軸を中心に上下方向に回動可能に設けられ、前記ディスクを挿排するための前記開口部の半分を形成した半開口部を設け前記半開口部と前記表示パネルの半開口部とで前記ディスク挿排のための開口部を形成する方向にバネで付勢されるディスクガイドとを備え、前記車載装置に組み込まれた状態において、前記表示パネルは昇降動作によって少なくとも２つの停止位置に停止し、前記少なくとも２つの停止位置のうちの一方の停止位置に停止した場合に前記表示パネルの半開口部と前記ディスクガイドの半開口部とで形成された前記ディスク挿排のための開口部が視認されて前記表示パネルの表示面の一部が視認されず、前記少なくとも２つの停止位置のうちの他方の停止位置に停止した場合に前記ディスク挿排のための開口部が形成されず視認されず前記表示パネルの表示面の全面が視認されることを特徴とする。この構成により、ＭＤやＣＤなどのディスク挿排の際に表示パネルがインパネから突出しないようにすることができるとともに、開口部からみきり線が見えないために見栄えを良くすることができる。
【０００８】
また、本発明のディスプレイ装置においては、前記ディスクガイドは爪を有し、前記表示パネルは凹部を有し、前記ディスクを挿排するための開口部が形成された状態において、前記爪が前記表示パネルの凹部に係合する位置に配置されたことを特徴とする。この構成により、開口部を安定的に保持して、ディスクの斜め挿入を防止するとともに上下方向に開口部が開いたままになるのを防止することができる。
【０００９】
また、本発明のディスプレイ装置は、前記表示パネル周囲に光源を有し、前記表示パネルの半開口部に向けて前記表示パネルに光誘導板が設けられ、前記光源は、前記少なくとも２つの停止位置のうちの一方の停止位置において前記光源からの光が前記光誘導板によって誘導され、前記誘導された光が前記ディスク挿排のための開口部の位置を指示することを特徴とする。この構成により、ディスク挿排の際に光により開口部の位置を明確に示すことができる。
【００１２】
【発明の実施の形態】
以下、本発明の実施の形態について、図面を用いて説明する。
【００１３】
図１は、本発明の実施の形態に係るディスプレイ装置の概要を示す斜視図である。図１において表示パネル１００はディスクの挿排時に上下に移動可能とされ、表示パネル１００が下方に移動にした場合には、表示パネル１００の上部に設けられた半開口部１０５と、表示パネル１００の上下動作に同期してバネ力によって回動するＭＤガイド１４の半開口部１１とによってＭＤの挿排を可能とする開口部が形成される。また、表示パネル１００が上方に移動にした場合には、表示パネル１００の下部に設けられた半開口部１０５と、表示パネル１００の上下動作に同期してバネ力によって回動するＣＤガイド１５の半開口部１２によってＣＤの挿排を可能とする開口部が形成される。回転力を与えるバネについては後述する。
【００１４】
図２（ａ）〜（ｃ）は、本発明の実施の形態に係るディスプレイ装置の右側面断面図である。図２（ａ）は、表示パネル１００のピン５１が下方に移動にして樹脂ガイド８の端に到達した場合であって、表示パネル１００の上部に設けられた半開口部１０５と、表示パネル１００の上下動作に同期してバネ力によって回動するＭＤガイド１４の半開口部１１とによってＭＤの挿排を可能とする開口部が形成される状態を示している。
【００１５】
ＭＤガイド１４はメカベースアセンブリ（基板ともいう）１に軸支され、開口部を形成する方向（反時計方向）にバネ力が付勢されている。そしてメカベースアセンブリ１には表示パネル１００が取り付けられたＴＦＴ（Thin Film Transistor:薄膜トランジスタ）取付板アセンブリー２を昇降する昇降駆動手段（図示せず）が取り付けられる。また、ＭＤガイド１４には爪５２が設けられており、開口部が形成された場合に爪５２がＴＦＴ取付板アセンブリー２の所定位置にある凹部に食込み、開口部を安定的に保持して、ＭＤの斜め挿入を防止するとともに上下方向に開口部が開いたままになるのを防止する。なお、図２（ａ）では、図示の煩雑さを避ける見地からＣＤガイド１５は図示されていない。
【００１６】
ＴＦＴ取付板アセンブリー２に植立されたピン５１が形成されており、このピン５１は鳥翼状に形成された樹脂ガイド８に沿って上記昇降駆動手段によって移動させられる。ピン５１の移動中における停止点は、ＭＤガイド１４、ＣＤガイド１５により開口部が形成される樹脂ガイド８の両端と、ＭＤガイド１４、ＣＤガイド１５により開口部が形成されない樹脂ガイド８の中心点である。
【００１７】
図２（ｂ）は、表示パネル１００のピン５１が中央に移動にして樹脂ガイド８の中心点に停止している場合であって、ＭＤガイド１４、ＣＤガイド１５によってはＭＤ、ＣＤの挿排を可能とする開口部は上方、下方のいずれにも形成されてない状態を示している。
【００１８】
図２（ｃ）は、表示パネル１００のピン５１が上方に移動にして樹脂ガイド８の端に到達した場合であって、表示パネル１００の下部に設けられた半開口部１０５と、表示パネル１００の上下動作に同期してバネ力によって回動するＣＤガイド１５の半開口部１２によってＣＤの挿排を可能とする開口部が形成される状態を示している。
【００１９】
ＣＤガイド１５はメカベースアセンブリ１に軸支され、開口部を形成する方向（時計方向）にバネ力が付勢されている。そしてメカベースアセンブリ１には表示パネル１００が取り付けられたＴＦＴ取付板アセンブリー２を昇降する昇降駆動手段（図示せず）が取り付けられる。また、ＣＤガイド１５には爪５２が設けられており、開口部が形成された場合に爪５２がＴＦＴ取付板アセンブリー２の所定位置にある凹部に食込み、開口部を安定的に保持して、ＣＤの斜め挿入を防止するとともに上下方向に開口部が開いたままになるのを防止する。なお、図２（ｃ）では、図示の煩雑さを避ける見地からＭＤガイド１４は図示されていない。
【００２０】
図３は、以上に説明した本発明の実施の形態に係るディスプレイ装置を組み込んだ車載用ナビゲーション装置２００の例を示すものであり、図３は、本発明のディスプレイ装置が図２（ｂ）に留まっている状態を示しており、ＭＤガイド１４を覗き見ることができる。なお、車載用ナビゲーション装置２００を車両に搭載した場合には、車載用ナビゲーション装置２００は車両のインパネ内に置かれるので、ＭＤガイド１４を覗き見ることは実際には不可能である。なお、車載用ナビゲーション装置は、ナビゲーション機能だけでなく、テレビ機能やオーディオ機能などを備えてなるものである。
【００２１】
図４は、図３と同様に本発明の実施の形態に係るディスプレイ装置を組み込んだ車載用ナビゲーション装置２００の例を示すものであり、図４は、本発明のディスプレイ装置が図２（ｃ）に在る状態を示しており、ＣＤガイド１５により開口部が形成されているのを見ることができる。なお、車載用ナビゲーション装置２００を車両に搭載した場合には、車載用ナビゲーション装置２００は車両のインパネ内に置かれるので、図４に示すような上に突き出した表示パネル１００及び表示パネル１００の後ろに隠れたＭＤガイド１４を見ることは実際には不可能である。
【００２２】
図５は、表示パネル１００の下辺にＣＤの挿排を可能とする開口部が形成された状態におけるＣＤ挿排位置を指示する光照射手段の構成図である。図５に示されるように、昇降する表示パネル１００の下部に設けられた半開口部１０５に向けて表示パネル１００の下辺に光誘導板５３が左右に設けられており、この左右に設けられた光誘導板５３に対して左右に設けられた光源５５から放射された光が光誘導板５３に誘導されて表示パネル１００の下辺に形成される開口部の位置を指示する。光源５５は、後述するガイド６（図７参照）の所定位置に固定されており、常時放射させておくように構成する。なお、光放射は常時ではなく表示パネル１００の昇降動作に同期して行わせるようしても良い。
【００２３】
図６は、表示パネル１００の下辺にＣＤの挿排を可能とする開口部が形成されない状態における図５に示した光照射手段の位置関係を示す図であり、後述するガイド６（図７参照）の所定位置に固定されている光源５５から放射された光は左右に設けられた光誘導板５３には到達しないので、開口部の位置を指示することはない。
【００２４】
なお、上記ではＣＤの挿排を可能とする開口部が形成された場合について説明したが、ＭＤの挿排を可能とする開口部が形成された場合に適用すること、およびＣＤ及びＭＤの挿排を可能とする開口部が形成された場合に適用することも可能である。
【００２５】
図７（ａ）〜（ｂ）は、本発明の実施の形態に係るディスプレイ装置の動作ロックを解除する緊急用のレバーの取付け時の構成並びにその動作を説明するための図である。つまり、本発明の実施の形態に係るディスプレイ装置は車両のインパネに取り付けられているので、図２（ｃ）のような状態で動作ロックした場合には、インパネなどの周辺部品を外さなければ機器の交換ができないという不具合が出てくる。そこで、図２（ｃ）のような状態で動作ロックを解除するために本発明の実施の形態に係るディスプレイ装置では緊急用のレバーを装着するようにしたものである。
【００２６】
図７（ａ）は、本発明のディスプレイ装置の構成要素であるガイド６に取り付けたレバー１０の構成を示す側面図であり、レバー１０を引き出すための取手１０１がガイド６の下辺より下に飛び出るようにされている。なお、ガイド６はメカベースアセンブリ１の左右の両端においてネジによって固定されており、ガイド６には樹脂ガイド８も取り付けられている。
【００２７】
図７（ｂ）は、本発明のディスプレイ装置の構成要素であるガイド６に取り付けたレバー１０の構成を示す正面図であり、レバー１０の取手１０１を引き出すことによってレバー１０の引掛け部１０２が表示パネル１００に作用して昇降作用を行う昇降作動部５６に引っ掛かり、強制的に引き下げることができるようにする。なお、図７（ｂ）に示すようにレバー１０は左右のガイド６に沿ってそれぞれ１つずつ取り付けられており、緊急事態が発生して強制的に引き下げる場合には左右のレバー１０を同時に引いて表示パネル１００を水平を保ったまま所定位置に引き下げることができる。
【００２８】
図７（ｂ）ではレバー１０の作用を理解しやすくするために昇降作動部５６を含めてレバー１０を黒の太線で図示したが、図７（ｂ）の右部に示したように、昇降作動部５６は実際には図示裏側に存在するので正面からは見えないようになっている。
【００２９】
なお、図７（ａ）には、メカベースアセンブリ１に表示パネル１００を昇降させる昇降駆動部１３が図示されており、また、図７（ｂ）には、ディスクガイド１４、１５に回転力を与えるガイドバネ１６がメカベースアセンブリ１に装着されているのが図示されている。ガイドバネ１６としてはコイルバネが用いられている。
【００３０】
図８（ａ）〜（ｂ）は、本発明の実施の形態に係るディスプレイ装置の動作ロックを解除するレバーの構成を示す図である。図８（ａ）は、レバー１０を側面から見た図であり、図８（ｂ）は、レバー１０を正面から見た図である。
【００３１】
図８（ｂ）においてレバー１０に設けた第１の当接部１０４は、図７（ｂ）に示した昇降作動部５６に当接するものであり、また図８（ｂ）においてレバー１０に設けた第２の当接部１０６は、図７（ｂ）に示したガイド６に当接するものである。そして、片持ち支持のレバー１０で表示パネル１００を強制動作するときに、駆動力伝達部５６より受ける力（反力）を第２の当接部１０６で受け止めることにより効率良く力を伝達することができるようにしている。
【００３２】
図９（ａ）〜（ｂ）は、本発明の実施の形態に係るディスプレイ装置の動作ロックを解除するレバーの取付け時の構成を説明するための他の図である。図９（ａ）は、ガイド６に取り付けたレバー１０の構成を示す正面図であり、図９（ｂ）は、図９（ａ）の一部を拡大した図である。図９（ｂ）において、レバー１０には凸部１０３が設けられ、この凸部１０３がガイド６の所定位置に設けられた孔部５７に嵌合するようにして表示パネル１００が昇降する際の振動音が発生しないように構成する。これにより表示パネル１００の昇降時にユーザに不快な振動雑音の発生を防ぐことができる。
【００３３】
【発明の効果】
以上の説明から明らかなように本発明によれば、ＭＤやＣＤなどのディスク挿排の際に表示パネルがインパネから突出しないようにすることができる。とともに、開口部からみきり線が見えないために見栄えを良くすることができる。
【図面の簡単な説明】
【図１】本発明の実施の形態に係るディスプレイ装置の概要を示す斜視図
【図２】（ａ）本発明のディスプレイ装置に係るピンが下方に移動にして樹脂ガイドの端に到達した場合の例を示した図
（ｂ）本発明のディスプレイ装置に係るピンが中央に移動にして樹脂ガイドの中心点に停止している場合の例を示した図
（ｃ）本発明のディスプレイ装置に係るピンが上方に移動にして樹脂ガイドの端に到達した場合の例を示した図
【図３】本発明のディスプレイ装置が図２（ｂ）に留まっている状態を示す車載用ナビゲーション装置の例を示した図
【図４】本発明のディスプレイ装置が図２（ｃ）に留まっている状態を示す車載用ナビゲーション装置の例を示した図
【図５】本発明のディスプレイ装置において開口部が形成された状態における光照射手段の構成を示す図
【図６】本発明のディスプレイ装置において開口部が形成されない状態における光照射手段の位置関係を示す図
【図７】（ａ）ガイドに取り付けた本発明のディスプレイ装置に係るレバーの構成を示す側面図
（ｂ）ガイドに取り付けた本発明のディスプレイ装置に係るレバーの構成を示す正面図
【図８】（ａ）本発明のディスプレイ装置に係るレバーを側面から見た図
（ｂ）本発明のディスプレイ装置に係るレバーを正面から見た図
【図９】（ａ）本発明のディスプレイ装置に係るレバーの構成を示す正面図
（ｂ）図９（ａ）の一部を拡大した図
【図１０】従来構成におけるディスプレイ本体を開放する前の車載用ナビゲーション装置の正面図
【図１１】従来構成におけるディスプレイ本体を開放する前の車載用ナビゲーション装置の側面図
【図１２】従来構成におけるディスプレイ本体を開放した後の車載用ナビゲーション装置の正面図
【図１３】従来構成におけるディスプレイ本体を開放した後の車載用ナビゲーション装置の側面図
【符号の説明】
１  メカベースアセンブリー
２  ＴＦＴ取付板アセンブリー
６  ガイド
８  樹脂ガイド
１０  レバー
１１  半開口部（ＭＤガイド側）
１２  半開口部（ＣＤガイド側）
１３  昇降駆動部
１４  ＭＤガイド
１５  ＣＤガイド
１６  ガイドバネ
５１  ピン
５２  爪
５３  光誘導板
５５  光源
５６  昇降作動部
５７  孔部
１００  表示パネル
１０１  取手
１０２  引掛け部
１０３  凸部
１０３  第１の当接部
１０５  半開口部（表示パネル側）
１０６  第２の当接部
５００  ディスプレイ
５０１  オープンボタン
５０２  ＣＤ挿入口
【図１】
0004180281.tif 000002
【図２】
0004180281.tif 000003
【図３】
0004180281.tif 000004
【図４】
0004180281.tif 000005
【図５】
0004180281.tif 000006
【図６】
0004180281.tif 000007
【図７】
0004180281.tif 000008
【図８】
0004180281.tif 000009
【図９】
0004180281.tif 000010
【図１０】
0004180281.tif 000011
【図１１】
0004180281.tif 000012
【図１２】
0004180281.tif 000013
【図１３】
0004180281.tif 000014